(57)【要約】【課題】背もたれに寄りかかりやすく、使用者の体格，長身等に合せて背もたれの深さや角度の調整が容易な簡易便器の提供を目的とする。【解決手段】便座を開閉自在に枢着した本体部と背部とを備えた椅子型の簡易便器であって、前記背部は左右に対向配置した側部間に配置したベルトからなる、あるいは当該ベルトを介して背もたれを有することを特徴とする。【選択図】  図１
2014233428.tif 000002
【特許請求の範囲】
【請求項１】
便座を開閉自在に枢着した本体部と背部とを備えた椅子型の簡易便器であって、
前記背部は左右に対向配置した側部間に配置したベルトからなる、あるいは当該ベルトを介して背もたれを有することを特徴とする簡易便器。
【請求項２】
前記ベルトは張設強さ又は長さの調整が可能になっていることを特徴とする請求項１記載の簡易便器。
【請求項３】
前記ベルトは複数段に分けて配置してあり、複数段のベルトがそれぞれ張設強さ又は長さの調整が可能になっていることを特徴とする請求項２記載の簡易便器。
【請求項４】
前記ベルトの側部への取付位置が便座を垂直に跳ね上げた座面よりも前に位置することを特徴とする請求項１〜３のいずれかに記載の簡易便器。
【請求項５】
前記背部は補強部材を有することを特徴とする請求項１〜４のいずれかに記載の簡易便器。
【請求項６】
前記補強部材は前記両側の側部間に連結した補強バーであることを特徴とする請求項５記載の簡易便器。
【請求項７】
前記補強バーは当該補強バーの後縁部が前記側部の後縁よりも後方に位置する平面視で略コ字形状になっていることを特徴とする請求項６記載の簡易便器。
【請求項８】
前記便座は前後方向にスライド可能になっていることを特徴とする請求項１〜７のいずれかに記載の簡易便器。
【発明の詳細な説明】
【技術分野】
【０００１】
本発明は主に室内にて使用される簡易便器に関する。
特に簡易便器の背もたれ構造に係る。
【背景技術】
【０００２】
ポータブルトイレと一般的に称されている簡易便器の分野においては、従来室内のベッド脇に設置され、介護者が用をたすだけのものであったが、近年介護者によっては便座に座ってから排便が終わるまでに長時間要する者がいるので、疲れがでないように背もたれのある椅子型の簡易便器のニーズが高い。
また、介助者にとっても便座の上にカバー等を設けて簡易的な椅子として使用したい要望もあった。
しかし、椅子型の簡易便器においても通常の簡易便器と同様に便座の下方に汚物入れを設置し、使用後は便座を後方に跳ね上げて、この便座の先端を後方に傾斜させるように開き状態を維持しつつ汚物入れを取り出す必要があることから、一般の椅子と比較して座部（便座）の先端から背もたれまでの奥行きが深く、比較的小柄な体格、あるいは背中が丸くなった体形の介護者には上半身を背もたれに保持しにくく、安心して長時間座り続けるのが難しかった。
特許文献１には、背当て材を深さ調整手段により左右一対の支柱間に横設することで背もたれ深さを調整する技術を開示するが、単に背当て材を前後方向に移動するだけであり、
調整範囲がきわめて限定的である。
【先行技術文献】
【特許文献】
【０００３】
【特許文献１】特許第３９７３６５３号公報
【発明の概要】
【発明が解決しようとする課題】
【０００４】
本発明は、背もたれに寄りかかりやすく、使用者の体格，長身等に合せて背もたれの深さや角度の調整が容易な簡易便器の提供を目的とする。
【課題を解決するための手段】
【０００５】
本発明に係る簡易便器は、便座を開閉自在に枢着した本体部と背部とを備えた椅子型の簡易便器であって、前記背部は左右に対向配置した側部間に配置したベルトからなる、あるいは当該ベルトを介して背もたれを有することを特徴とする。
ここで、ベルトは張設強さ又は長さの調整が可能になっているのが好ましい。
なお、本発明は背もたれをベルトあるいはベルトを介して設けたので、背部に補強部材を設けるのが好ましく、補強部材の設け方に制限がなく本体部から立接してもよく、補強部材は前記両側の側部間に連結した補強バーであってよく、補強バーは当該補強バーの後縁部が前記側部の後縁よりも後方に位置する平面視で略コ字形状になっていてもよい。
また、従来の簡易便器は、一般の椅子よりも座部の先端から背もたれまでの奥行きが深く、安定して座れなかったので、本発明はベルトの側部への取付位置が便座を垂直に跳ね上げた座面よりも前に位置させて背もたれまでの奥行きを従来よりも浅く設定してもよい。
その奥行きが従来よりも浅いことをベルトの側部への取付位置が便座を垂直に跳ね上げた座面よりも前に位置すると表現したものである。
従って、ベルトの長さが調整可能になっている場合にあっては、ベルトを短くあるいは強く張設した場合に便座の座面がベルトに当たり、垂直に跳ね上げることができないことをいう。
また、後述する便座が前後方向にスライド可能になっている場合は、便座を後方に位置する使用状態での座面との位置関係をいう。
ベルトの長さが調整可能になっているとは、椅子型の簡易便器に使用者が座った状態で、例えば座部となる本体部の背部左右から立設した側部間の上部寄り対向位置にそれぞれベルトの取付部を有し、ベルトを強く張設すると後方への撓みが少なく、使用者の背もたれ位置が相対的に前寄りになり、逆にベルトを弱く張設することで後方への撓みが大きくなり、相対的に背もたれ位置が後寄りになる例が挙げられる。
また、ベルトにカバー状の背もたれ部材を取り付けることで、ベルトの長さが短いと背もたれ部材が前寄りに位置し、ベルトの長さを長くすると相対的に後寄りに位置するようにした例が挙げられる。
【０００６】
本発明において、背部の対向する側部間に横設したベルトは複数段に分けて配置してあり、複数段のベルトがそれぞれ張設強さ又は長さの調整が可能になっていてもよい。
このようにすると、上段側と下段のベルト間の張設強さや長さを変えることで、使用者の背の当たる角度の調整も可能になる。
【０００７】
本発明において、座部（便座）の先端から背もたれまでの奥行きを浅く設定したので、そのまま便座を跳ね上げると便座の先端側が前側に傾いた状態で背もたれに当たることになり、そのままでは便座の開き状態を保持できない場合もあり得る。
そのような場合には、便座が前後方向にスライド可能になっているのが好ましい。
ここで、便座が前後方向にスライド可能とは、便座を前方にスライドさせて跳ね上げると便座の先端が後方に傾いた状態で背もたれに当接し、そのまま開き状態を維持することをいう。
よって、便座の前後方向のスライド構造に制限はない。
【発明の効果】
【０００８】
本発明に係る簡易便器にあっては、背もたれをベルトにてあるいはベルトを介して設けたので、座部の先端から背もたれまでの奥行きが従来よりも浅くすることができ、背もたれに寄りかかりやすい。
また、使用者が背もたれに寄りかかった状態の奥行きや角度の調整が可能になっているので、使用者の体格差，身長差，あるいは背中の丸み形状等の相違に合せた座りやすい簡易便器となる。
背部に補強部材を有するのでベルトからなる背もたれであっても背部の強度があり、ベルト等の緩みに対する安全性が高い。
さらには、便座を前後方向にスライド可能にすると、仮に便座の坐骨位置から背もたれの位置までの前後方向の距離を短く設定した場合であっても便座を前方に移動させた後に跳ね上げるだけで背もたれに当たった開き状態を維持し、汚物入れの出し入れが容易になる。
【図面の簡単な説明】
【０００９】
【図１】本発明に係る簡易便器の斜視図を示す。
【図２】簡易便器の正面図を示す。
【図３】簡易便器の側面図を示す。
【図４】便器部の部品構成図を示し、（ａ）はセットした状態、（ｂ）は便座を跳ね上げた状態、（ｃ）は便座受けとスライド部材を分離させた状態を示す。
【図５】便座のスライド構造例を示し、（ａ）は便座が後方に位置する状態、（ｂ）は前方にスライドさせた状態を示す。
【図６】背部の構造例を示す。（ａ）はベルトから背もたれを取り外した状態を示し、（ｂ）は背もたれの底面図を示し、（ｃ）はベルトに背もたれを取り付けた状態の断面図を示し、（ｄ）はＤ−Ｄ線断面図を示し、（ｅ）はベルトの取付状態を示し、（ｆ）はベルトの連結部を示す。
【図７】ベルトの長さ調整の例を示し、（ａ）はベルトの長さを短くした状態を示し、（ｂ）はベルトの長さを長くした状態を示す。
【図８】ベルトを２段に分けて横設した場合であって、（ａ）は上段のベルトを相対的に長くした状態を示し、（ｂ）は逆に下段のベルトを相対的に長くした例を示す。
【図９】脚部の高さ調整の構造例を示す。（ａ）は脚部の高さを高くした状態を示し、（ｂ）は脚部の高さを低くした状態を示す。
【図１０】脚部を本体部に取り付ける構造例を示す。（ａ）は脚部を本体部に固定した状態を示し、（ｂ）は固定ボルトを緩め、脚部を上下に移動させる状態を示す。
【図１１】肘掛けの構造例を示す。（ａ）は肘掛けをロックした状態を示し、（ｂ）は肘掛けの高さを上下させる状態を示し、（ｃ）はロック爪の外観図を示す。
【図１２】肘掛けの上下スライド構造例を示す。（ａ）は肘掛けがロックされた状態を示し、（ｂ）はロックを解除した状態を示し、（ｃ）は肘掛けを下げている状態を示し、（ｄ）は肘掛けを最も下げた状態を示し、（ｅ）は最も下げた状態でのロック状態を示す。
【発明を実施するための形態】
【００１０】
本発明に係る椅子型の簡易便器の構造例を以下図面に基づいて説明するが、本発明はこれに限定されない。
【００１１】
図１に簡易便器１０の外観斜視図を示す。
簡易便器１０は、図４に示したような便器部５を収納する本体部１とこの本体部から立設した背部２と、脚部３及び肘掛け部４を有する。
本体部１は、左右の側部材１１と前部材１２，後部材１３にて枠体を形成した。
本実施例では、左右一対の側部材１１，１１を略Ｌ字形状に形成し、本体部１の側面部１１ａと背部２の側部１１ｂとを一体的にした例であるが、これらを別体にして連結してもよい。
【００１２】
簡易便器１０は、図６〜８に示すように背もたれ１４の奥行き深さの調整が可能であり、図４，５に示すように便座２１がスライド部材２４にて前後方向にスライド可能になっている。
また、本実施例では脚部３の高さ及び肘掛け部４の高さが調整可能になっている。
【００１３】
便器部５は、図４に示すように便座２１の後部側の側部を便座受け２２の後部に枢着軸２１ｂにて枢着してあり、便座２１の先端部２１ｃ側が後方に跳ね上がるとともに便座受け２２に対して脱着可能になっている。
便座受け２２には、図示を省略した汚物容器を装着する容器収納部２３を下側に有する。
この便座受け２２は、左右両側にスライダー２４ｂとストッパー２４ｃとを有する平面視で略コ字形状のスライド部材２４に取り付けられている。
本実施例では、便座受け２２の前部下側にボス状の突部２２ｂを形成し、スライド部材２４の上面に設けた挿入孔２４ｄに挿入装着するようになっているが、取付方法に限定はない。
図５に側部材１１の側面視を示し、側部材１１の本体部内側に図５では点線で示すように上下に平行なバー材からなるスライドレール１１ｈ，１１ｉを有し、この間にスライド部材２４の両側のスライダー２４ｂがそれぞれ挿入され、図５（ｂ）に示すようにストッパー２４ｃが上側のスライドレール１１ｉの後端に当接するまでスライド部材２４が前進可能になっている。
これにより、便座２１が便座受け２２とともに前後方向にスライド可能になっている。
【００１４】
次に背部２の構造例を説明する。
図６に示すように、左右対向配置した側部１１ｂに２本のスリットを上下方向に切り込んだ上段側のベルト取付部１１ｄと同様に２本のスリットを上下方向に切り込んだ下段側のベルト取付部１１ｅを二段に形成してある。
上段側のベルト取付部１１ｄには、一本のベルト４１の両端を前側のスリットから後側のスリットを介して後側の内側に折り返すように挿入し、両端部４１ａ，４１ｂとの間に自在面ファスナーを相互に取り付け、左右両側のベルト取付部間のベルト長さが調整可能になっている。
下段側のベルト４２も上段側のベルト４１と同様に下段側の取付部１１ｅに取り付けてあり、両端部の自在面ファスナー４２ａ，４２ｂにて長さ調整可能になっている。
ベルト４１，４２を左右のベルト取付部（１１ｄ，１１ｄ），（１１ｅ，１１ｅ）間にまっすぐになるように短くすると、背中が当たる位置が最も前側になる。
一方、図７に示すようにベルト４１，４２の中央が後方に撓むようにこのベルト４１，４２の長さを長くすると背もたれの奥行きが深くなり、使用者が座った際に背中の当たる位置が後方に移動する。
使用者が座った際に背もたれの奥行きを調整する方法として、伸縮性のあるベルトを用いて左右の側部１１ｂ，１１ｂの取付部間の張設の強さにて調整することもできるが、本実施例は図６（ａ），（ｂ）に示すようにベルトの前後を挟み込むようにカバー状の背もたれ１４を取り付けた例となっている。
その断面図を図６（ｃ）に示し、Ｄ−Ｄ線断面図を図６（ｄ）に示す。
背もたれ１４は、クッション性のある表面部材１４ａと、面ファスナー１４ｃ等にて脱着自在の裏面部材１４ｂとからなる。
背もたれの奥行きを図７で説明する。
使用者が便座２１の穴２１ａに向けて座ると、この一般的に穴の先端から約２５０ｍｍの位置にある坐骨結節点２１ｅと背もたれ１４との距離において、図７（ａ）に示すように相対的にベルトの長さを短くし緩みを少なくすることで、背もたれの奥行きを最も浅くした場合の距離をＬ１，図７（ｂ）に示すようにベルトの長さを長くし、緩みを大きくすることで背もたれの奥行きを最も深くした場合の距離をＬ２とする。
Ｌ１の距離を約１１０ｍｍに設定し、Ｌ２の距離を約１８０ｍｍに設定するのが好ましい。
Ｌ１の状態は休息性に重点を置かず、腰部を支えて姿勢を正しく保てることに主観を置いた位置である。
Ｌ２は休息性に主観を置き、またこの距離にすると腰が湾曲して深く腰掛けないと座れない使用者にも適する。
また、その中間的な距離１４０〜１６０ｍｍにおいては、使用者の体格や体形に合わせて、休息性，姿勢保持を適切に維持できる。
また、ベルトを上下二段にしたことにより、図８に示すように背もたれの角度の調整もできる。
図８（ａ）は、上段側のベルト４１の方を長く緩くすることで、カバー状の背もたれ１４を取り付けると上が後方に傾き、図８（ｂ）に示すように下段側のベルト４２を緩くすると背中の湾曲した使用者が座りやすくなる。
【００１５】
本実施例では、図３，図７に示すように背部２の左右側部１１ｂ，１１ｂとの間に、背部の補強部材の例として補強バー１１ｆを取付部材１１ｇにて配置し、その下に空間部を形成し、図３に示すように側部１１ｂの座部と背もたれ１４の間の前側を湾曲状に切り欠いた湾曲形状部１１ｊを形成した。
このようにすると、後部の空間部Ｓ１，側部の空間部Ｓ２から介助者の手が入りやすくなり、介護者の介護がし易くなる。
補強バー１１ｆは、図７，８に示すように背部２の両側のベルト取付部１１ｄ，１１ｅよりやや下側の位置で側部１１ｂ，１１ｂ間に跨って取り付けてあり、両側部はボルト等の固定部材１１ｇ，１１ｇにて側部１１ｂ，１１ｂと連結固定してある。
この補強バー１１ｆは、平面視で後方に突出した略コ字形状になっていて、後部は図７（ｂ）に示すようにベルトの長さを長くし、背もたれ１４が後方に位置した場合にその後部に位置するようになっている。
この状態を図８で説明すると、補強バー１１ｆの後縁部が側部１１ｂの後縁より後方に位置している。
従来の一般的な背もたれは、側部材間の補強を兼ねている場合が多いが、本発明に係る簡易便器１０は背もたれをベルトあるいはベルトを介して設けたので、補強バー１１ｆは背もたれ部の補強としての作用と、ベルトの緩み等に伴う安全性を確保する作用を有する。
【００１６】
次に便座の位置と背もたれの関係を説明する。
本発明に係る簡易便器１０は、背もたれまでの奥行きを従来よりも浅くした点に特徴があり、坐骨結節点２１ｅの位置を便座の穴の先端から約２５０ｍｍとし、この坐骨結節点２１ｄと背もたれの距離を最小でＬ１＝約１１０ｍｍとしたので、図５（ａ）に２点鎖線で示すように便座２１の座面２１ｄが背もたれ１４に当たった状態では、便座２１が前側に傾いた状態になるために手を離すと便座２１が再び閉じてしまう。
そこで、図５（ｂ）に示すようにスライド部材２４を前側にストッパー２４ｃがスライドレール１１ｉの後端に当たるまで移動させた後に便座２１を跳ね上げると、便座２１の座面２１ｄが後方側に傾いた状態で背もたれ１４に当たるようになり、そのまま開いた状態で便座を維持できる。
これにより、汚物容器の出し入れが容易になる。
【００１７】
次に脚部３の構造例について説明する。
脚部３は、図１に示すようにそれぞれ側部材１１の外側の側面に沿ってガイド部１９ａにスライド保持されながら上下移動可能になっている。
脚部３は、前後方向に長い板状の接地部材１６から前後２ヶ所に脚１５を立設してあり、脚１５の内面に複数のめねじ孔１５ｂが上下方向に設けてある。
その状態を図９，１０に示す。
側部材１１の脚連結部１１ｃの内側からつまみ３０付きのボルト３１を上記めねじ孔１５ｂに螺合固定できる。
脚の上下方向に複数のめねじ孔を形成し、この所定の高さのめねじ孔にボルト等で脚を本体側に固定することで、脚部の高さ調整することに関してはこれまでも公知である。
しかし、単に複数のめねじ孔を上下に設けただけでは、ボルト先とめねじ孔の位置合せが大変であったり、脚がその重みで上下移動するので高さを調整し、そのままボルトで固定するのが大変であった。
そこで、脚５の前後の少なくとも一方にめねじ孔の間隔に合せて複数の凹部１５ａを設けるとともに、この凹部１５ａに向けてスプリング等の弾性材１９ｃにて付勢されたピン部材１９ｄを配設した。
本実施例では、後述する肘掛け支柱１８の保持部１９に脚５のガイド部１９ａを設けるとともに保持部１９の内側に設けた支持部材１９ｂを介してピン部材１９ｄを凹部１５ａに向けて突出させた。
これにより、手で脚５を上下させると凹部１５ａ毎にピン部材１６ｄが突出し、脚５を仮保持する。
これにより、ピン部材１９ｄと脚５のめねじ孔１５ｂとの位置が合った状態にて仮保持されるので、図１０に示すように、つまみ３０を廻すことで容易に脚５の高さ調整及び固定できる。
本実施例では図１０に示すように、つまみ付きボルト３１は、先端おねじ部３１ａと、つまみ側のおねじが形成されていないシャフト部３１ｂに分けて形成されている。
また、脚連結部１１ｃ側は、内側のめねじ部１１ｄの外側にめねじのない貫通孔１１１ｄを有する。
これにより、図１０（ａ）の固定状態からつまみ３０を廻してねじを緩めると、ボルト３１の先端おねじ部３１ａが脚側のめねじ孔１５ｂから外れると、ボルト３１が左右にガタ付く状態になる。
これにより、つまみ付きボルトを脚連結部１１ｃに保持させながら脚５との連結を解除することができる。
また、本実施例では図１，３に示すように接地部材１６の後端付近に車輪１６ａを取り付けてあり、簡易便器１０を後方側に少し傾けるだけで車輪１６ａにて移動しやすくなる。
【００１８】
本実施例では、肘掛け１７も高さ調整可能になっている。
図１１は、図２のＡ−Ａ線断面図及び図３のＢ−Ｂ線断面図を示し、図１２は図３のＣ−Ｃ線断面図をそれぞれ示す。
肘掛け１７は、その下側の肘掛け支柱１８に連結され、この肘掛け支柱１８の下端部は筒状の保持部１９に挿入保持されている。
肘掛け支柱１８の内側の側面には、所定間隔毎に上下方向にロック孔１８ｄを有する。
保持部１９には、弾性部材１８ｇにてロックピン１８ｆが内側に向けて突出付勢されている。
肘掛け支柱１８の内部には、ロック解除バー１８ａが保持部１９の底部の弾性部材１８ｈにより上方に付勢されながら配設されている。
ロック解除バー１８ａは、ロックピン１８ｆを外側に向けて退避させる凸部１８ｂとロックピン１８ｆの突出を許容する凹部１８ｃを交互に有する。
図１１に示すように肘掛け１７の裏面（下面）にケース体１７ａを有し、このケース体１７ａから下部に突出する操作部１７ｂを有する。
ロック解除バー１８ａの上端と操作部１７ｂに設けた押圧部１７ｅとの間は、回動軸１７ｇにてシーソー作動する作動子１７ｆを有する。
操作部１７ｂを上方に向けて押し込むと、作動子１７ｆが押圧部１７ｅにて上方に押圧され、回動軸１７ｇの反対側の作用点１７ｈがロック解除バー１８ａを弾性材１８ｈの付勢力に対抗して下方に押し込む。
これにより、図１２に示すようにロック解除バー１８ａの凸部１８ｂがロック孔１８ｄを塞ぐように一致する。
この状態では、ロックピン１８ｆはロック孔１８ｄ及びロック孔１８ｄのない肘掛け支柱１８の内側の外表面１８ｅに沿って移動できるので、肘掛け１７の高さ調整が可能になり、図１２（ｄ），（ｅ）に示すように操作部１７ｂから手を離すと、ロック解除バー１８ａが弾性材１８ｈにより上昇し、ロック孔１８ｄが凹部１８ｃと一致し、ロックピン１８ｆがロック孔１８ｄに向けて突出しロックされる。
また、操作部１７ｂは図１１に示すように弾性材１７ｉによりバネ付勢された操作ロック子１７ｃを有し、この操作ロック子１７ｃの反対側にロック爪１７ｄを有する。
操作ロック子１７ｃの部品図を図１１（ｃ）に示す。
操作ロック子１７ｃを押し込むと、ロック爪１７ｄがケース体のロック部１１７ｄから外れ、操作部１７ｂの押し込み操作が可能になるようになっている。
【符号の説明】
【００１９】
１        本体部
２        背部
３        脚部
４        肘掛け支柱
５        便器部
１０      簡易便器
１１      側部材
１２      前部材
１３      後部材
１４      背もたれ
１５      脚
１６      接地部材
１７      肘掛け
１８      肘掛け支柱
１９      保持部
１９ａ    ガイド部
２１      便座
２１ｄ    座面
２２      便座受け
２３      容器収納部
２４      スライド部材
２４ｂ    スライダー
２４ｃ    ストッパー
【図１】
2014233428.tif 000003
【図２】
2014233428.tif 000004
【図３】
2014233428.tif 000005
【図４】
2014233428.tif 000006
【図５】
2014233428.tif 000007
【図６】
2014233428.tif 000008
【図７】
2014233428.tif 000009
【図８】
2014233428.tif 000010
【図９】
2014233428.tif 000011
【図１０】
2014233428.tif 000012
【図１１】
2014233428.tif 000013
【図１２】
2014233428.tif 000014